(57)【要約】      （修正有）【課題】廃棄処理に係る業者が廃棄物に対してどのような処理を行ったかを容易に追跡可能とする追跡管理システムを提供する。【解決手段】追跡管理システム１において、事務機器２０は、廃棄物とともに業者間を移送される複写伝票を撮影した画像を取り込み、その画像から、その画像に写し出された複写伝票に印刷されているコードとともに当該複写伝票の表面にある伝票用紙の種類を検出する。事務機器２０は、検出されたコードから得られた追跡管理サーバ１０のアドレス宛に伝票用紙の種類に基づくリクエストを発行する。追跡管理サーバ１０は、事務機器２０からのリクエストに応答し、事務機器から収集した廃棄処理に係る情報を記憶する。【選択図】図１
2020205082.tif 000002
【特許請求の範囲】
【請求項１】
廃棄物の廃棄処理に係る業者毎に備えられる複数の事務機器と、
ネットワークを介して前記複数の事務機器を接続するサーバと、
を含み、
前記事務機器は、
前記廃棄物とともに前記業者間を移送される複写伝票を撮影した画像を取り込む画像インターフェースと、
前記画像から、その画像に写し出された前記複写伝票に印刷されているコードとともに当該複写伝票の表面にある伝票用紙の種類を検出する検出手段と、
前記伝票用紙の種類に対応したリクエストを取得する取得手段と、
前記取得手段により取得されたリクエストを含むＵＲＬデータを作成する作成手段と、
前記検出手段により検出された前記コードから得られる通信アドレスの前記サーバ宛に、前記作成手段により作成された前記ＵＲＬデータを送信する第１送信手段と、
を具備し、
前記サーバは、
前記伝票用紙の種類に対応したリクエストと関連付けて処理画像データを記憶する記憶手段と、
前記事務機器から前記ＵＲＬデータを受信すると、そのＵＲＬデータに含まれる前記リクエストに対応した処理画像データを前記記憶手段から取得して前記事務機器に送信する第２送信手段と、
を具備し、
前記事務機器は、
前記サーバから前記処理画像データを受信すると、その処理画像データに基づく処理画像を表示部に表示する表示手段と、
前記処理画像を介して入力された廃棄処理に係る情報を前記サーバに送信する第３送信手段と、
をさらに具備し、
前記サーバは、
前記事務機器から受信した前記廃棄処理に係る情報を記憶する記憶手段と、
をさらに具備する追跡管理システム。
【請求項２】
前記事務機器は、
前記複写伝票に前記コードを印刷させる印刷手段、
をさらに具備する請求項１記載の追跡管理システム。
【請求項３】
廃棄物の廃棄処理に係る業者毎に備えられ、ネットワークを介して接続されたサーバと追跡管理システムを構築する事務機器であって、
前記廃棄物とともに前記業者間を移送される複写伝票を撮影した画像を取り込む画像インターフェースと、
前記画像から、その画像に写し出された前記複写伝票に印刷されているコードとともに当該複写伝票の表面にある伝票用紙の種類を検出する検出手段と、
前記伝票用紙の種類に対応したリクエストを取得する取得手段と、
前記取得手段により取得されたリクエストを含むＵＲＬデータを作成する作成手段と、
前記検出手段により検出された前記コードから得られる通信アドレスの前記サーバ宛に、前記作成手段により作成された前記ＵＲＬデータを送信する第１送信手段と、
前記サーバから処理画像データを受信すると、その処理画像データに基づく処理画像を表示部に表示する表示手段と、
前記処理画像を介して入力された廃棄処理に係る情報を前記サーバに送信する第３送信手段と、
を具備する事務機器。
【請求項４】
前記複写伝票に前記コードを印刷する印刷手段、
をさらに具備する請求項３記載の事務機器。
【請求項５】
前記検出手段は、前記画像に写し出された前記複写伝票の表面にある伝票用紙の色を認識し、その色情報から前記種類を検出する請求項３又は４記載の事務機器。
【請求項６】
廃棄物の廃棄処理に係る業者毎に備えられ、ネットワークを介して接続されたサーバと追跡管理システムを構築する事務機器のコンピュータに、
前記廃棄物とともに前記業者間を移送される複写伝票を撮影した画像を取り込む機能と、
前記画像から、その画像に写し出された前記複写伝票に印刷されているコードとともに当該複写伝票の表面にある伝票用紙の種類を検出する機能と、
前記伝票用紙の種類に対応したリクエストを取得する機能と、
前記取得されたリクエストを含むＵＲＬデータを作成する機能と、
前記検出された前記コードから得られる通信アドレスの前記サーバ宛に、前記作成された前記ＵＲＬデータを送信する第１送信機能と、
前記サーバから処理画像データを受信すると、その処理画像データに基づく処理画像を表示部に表示する機能と、
前記処理画像を介して入力された廃棄処理に係る情報を前記サーバに送信する第３送信機能と、
を実現させるための制御プログラム。
【発明の詳細な説明】
【技術分野】
【０００１】
本発明の実施形態は、追跡管理システム及びこのシステムで用いられる事務機器並びにその制御プログラムに関する。
【背景技術】
【０００２】
廃棄処理委託業者から排出される産業廃棄物は、運搬業者によって中間処理業者まで運送される。そして中間処理業者によって焼却、破砕、脱水、中和等の中間処理が行われた後、再び運搬業者によって最終処分業者まで運送される。そして最終処分業者によって埋立、海洋投棄等の最終処分が行われて、廃棄処理が完了する。このような廃棄処理の工程の中で、業者から業者へは廃棄物とともに複写式のマニフェスト伝票（産業廃棄物管理票）が渡される。委託業者は、廃棄処理終了後に各業者から処理終了のマニフェスト伝票を受け取ることで、正しい工程に沿って廃棄物が廃棄処理されたか否かを確認できる。
【０００３】
しかしながらマニフェスト伝票だけでは、各業者が廃棄物に対してそれぞれ実際にどのような処理を行ったかを委託業者が追跡することは困難である。各業者が廃棄物に対してどのような処理を行ったかを容易に追跡できるシステムの構築が望まれている。
【先行技術文献】
【特許文献】
【０００４】
【特許文献１】２００８−１８６１８２号公報
【発明の概要】
【発明が解決しようとする課題】
【０００５】
本発明の実施形態が解決しようとする課題は、廃棄処理に係る業者が廃棄物に対してどのような処理を行ったかを容易に追跡できる追跡管理システムを提供しようとするものである。
【課題を解決するための手段】
【０００６】
一実施形態において、追跡管理システムは、廃棄物の廃棄処理に係る業者毎に備えられる複数の事務機器と、ネットワークを介して前記複数の事務機器を接続するサーバとを含む。  
事務機器は、画像インターフェースと、検出手段と、取得手段と、作成手段と、第１送信手段とを備える。画像インターフェースは、廃棄物とともに業者間を移送される複写伝票を撮影した画像を取り込む。検出手段は、画像から、その画像に写し出された複写伝票に印刷されているコードとともに当該複写伝票の表面にある伝票用紙の種類を検出する。取得手段は、伝票用紙の種類に対応したリクエストを取得する。作成手段は、取得手段により取得されたリクエストを含むＵＲＬデータを作成する。第１送信手段は、検出手段により検出されたコードから得られる通信アドレスのサーバ宛に、作成手段により作成されたＵＲＬデータを送信する。  
サーバは、記憶手段と、第２送信手段とを備える。記憶手段は、伝票用紙の種類に対応したリクエストと関連付けて処理画像データを記憶する。第２送信手段は、事務機器からＵＲＬデータを受信すると、そのＵＲＬデータに含まれるリクエストに対応した処理画像データを記憶手段から取得して事務機器に送信する。  
事務機器は、表示手段と、第３送信手段とをさらに備える。表示手段は、サーバから処理画像データを受信すると、その処理画像データに基づく処理画像を表示部に表示する。第３送信手段は、処理画像を介して入力された廃棄処理に係る情報を前記サーバに送信する。  
サーバは、記憶手段をさらに備える。記憶手段は、事務機器から受信した前記廃棄処理に係る情報を記憶する。
【図面の簡単な説明】
【０００７】
【図１】一実施形態である追跡管理システムの全体構成図。
【図２】追跡管理システムに含まれる事務機器のハードウェア構成を示すブロック図。
【図３】事務機器が有するリクエストテーブルのデータ構造を示す模式図。
【図４】追跡管理システムに含まれるサーバのハードウェア構成を示すブロック図。
【図５】サーバが有する処理画像テーブルのデータ構造を示す模式図。
【図６】サーバが有する処理データファイルのデータ構造を示す模式図。
【図７】事務機器のＣＰＵが制御プログラムにしたがって実行する情報処理の要部手順を示す流れ図。
【図８】事務機器のＣＰＵが制御プログラムにしたがって実行する情報処理の要部手順を示す流れ図。
【図９】サーバのＣＰＵが制御プログラムにしたがって実行する情報処理の要部手順を示す流れ図。
【発明を実施するための形態】
【０００８】
以下、追跡管理システムの実施形態について、図面を用いて説明する。なお、この実施形態は、産業廃棄物（以下、廃棄物と称する）の廃棄処理に係る業者がその廃棄物に対してどのような処理を行ったかを追跡可能とするものである。
【０００９】
図１は、追跡管理システム１の全体構成図である。追跡管理システム１は、追跡管理サーバ１０と、複数台（図１では３台）の事務機器２０とを含む。追跡管理システム１は、追跡管理サーバ１０と各事務機器２０とをインターネット５で接続する。すなわち追跡管理サーバ１０は、インターネット５を介して各事務機器２０に情報を提供するＷｅｂサーバとして機能する。各事務機器２０は、Ｗｅｂサーバの持つ情報にアクセスしてその情報を処理するＷｅｂクライアントとして機能する。
【００１０】
追跡管理サーバ１０と各事務機器２０とを接続するネットワークはインターネット５に限定されるものではない。追跡管理サーバ１０がサーバとしての機能を果たし、各事務機器２０がクライアントとしての機能を果たすことができれば、インターネット以外のネットワークを使用してもよい。
【００１１】
各事務機器２０は、廃棄処理に係る業者のうち廃棄処理の委託業者２、中間処理業者３及び最終処分業者４の事務室等にそれぞれ設けられる。  
委託業者２は、廃棄物の廃棄を委託する。また委託業者２は、マニフェスト伝票７１を発行する。マニフェスト伝票７１は複写式であり、Ａ票、Ｂ１票、Ｂ２票、Ｃ票、Ｄ１票、Ｄ２票及びＥ票の７枚の伝票用紙を束ねたものである。なお、７枚の伝票用紙は、それぞれ紙の色が異なる。委託業者２は、廃棄物を運搬業者６１に引き渡す際にマニフェスト伝票７１も渡す。このとき委託業者２は、Ａ票を受け取り、控えとして保管する。
【００１２】
運搬業者６１は、委託業者２から委託された廃棄物を中間処理業者３まで運搬する。そして運搬業者６１は、廃棄物を中間処理業者３に引き渡す際にマニフェスト伝票７１も渡す。このとき運搬業者６１は、Ｂ１票とＢ２票を受け取り、Ｂ１票を保管し、Ｂ２票を委託業者２に返送する。
【００１３】
中間処理業者３は、委託業者２から委託された廃棄物について焼却、破砕、脱水、中和等の中間処理を行う。そして中間処理を終えると、中間処理業者３は、中間処理を終えた廃棄物を運搬業者６２に引き渡す。このとき委託業者２は、Ｃ票を受け取り、控えとして保管する。
【００１４】
運搬業者６２は、中間処理業者によって中間処理された廃棄物を最終処分者まで運搬する。そして運搬業者６２は、廃棄物を最終処分業者４に引き渡す際にマニフェスト伝票７１も渡す。このとき運搬業者６２は、Ｄ１票とＤ２票を受け取り、Ｄ１票を保管し、Ｄ２票を中間処理業者３に返送する。なお運搬業者６２は、運搬業者６１と別業者であってもよいし同一業者であってもよい。
【００１５】
最終処分業者４は、中間処理された廃棄物について埋立、海洋投棄等の最終処分を行う。そして最終処分を終えると、最終処分業者４は、マニフェスト伝票７１のＥ票を保管する。
【００１６】
このような廃棄物の廃棄処理工程において、委託業者２は、事務機器２０を利用してマニフェスト伝票７１の作成及びその登録と、廃棄物の委託に関する情報（委託日時、廃棄物の種類、廃棄物の重量、廃棄物の画像等）の登録とを行う。中間処理業者３は、事務機器２０を利用して、マニフェスト伝票７１の登録と、廃棄物の中間処理に関する情報（処理開始日時、処理終了日時、処理内容、処理後の画像等）の登録を行う。最終処分業者４は、事務機器２０を利用して、マニフェスト伝票７１の登録と、廃棄物の最終処分に関する情報（処理開始日時、処理終了日時、処理内容、処理後の画像等）の登録を行う。
【００１７】
ここで、マニフェスト伝票７１の登録には、カメラ８を使用する。カメラ８は、デジタルカメラやＷｅｂカメラでもよいし、スマートフォン、タブレット端末等に内蔵されたカメラでもよい。また、委託業者２による廃棄物画像の撮影、中間処理業者３による処理後画像の撮影、最終処分業者４による処分画像の撮影にも、カメラが用いられる。この場合のカメラは、マニフェスト伝票７１の登録の際に用いるカメラ８と同じでもよいし異なっていてもよい。
【００１８】
追跡管理サーバ１０は、各事務機器２０で登録されたデータを、インターネット５を介して収集し、保存する。これにより委託業者２は、追跡管理サーバ１０に保存されたデータを閲覧することにより、正しい工程に沿って廃棄物が廃棄処理されたか否かだけでなく、中間処理業者又は最終処分業者が廃棄物に対してどのような処理を行ったのかまで確認できるようになる。
【００１９】
図２は、事務機器２０のハードウェア構成を示すブロック図である。事務機器２０は、ＣＰＵ（Central Processing Unit）２０１、ＲＯＭ（Read Only Memory）２０２、ＲＡＭ（Random Access Memory）２０３、補助記憶デバイス２０４、時計部２０５、通信インターフェース２０６、キーボードコントローラ２０７、キーボード２０８、表示コントローラ２０９、ディスプレイ２１０、プリンタコントローラ２１１、プリンタ２１２及び画像インターフェース２１３等を備える。ＣＰＵ２０１と、ＲＯＭ２０２、ＲＡＭ２０３、補助記憶デバイス２０４、時計部２０５、通信インターフェース２０６、キーボードコントローラ２０７、表示コントローラ２０９、プリンタコントローラ２１１及び画像インターフェース２１３とは、アドレスバス、データバス、制御信号線等を含むシステム伝送路２１４によって接続される。
【００２０】
事務機器２０は、ＣＰＵ２０１、ＲＯＭ２０２、ＲＡＭ２０３及び補助記憶デバイス２０４と、これらを接続するシステム伝送路２１４とによってコンピュータを構成する。    ＣＰＵ２０１は、上記コンピュータの中枢部分に相当する。ＣＰＵ２０１は、オペレーティングシステムやアプリケーションプログラムに従って、事務機器２０としての各種の機能を実現するべく各部を制御する。
【００２１】
ＲＯＭ２０２は、上記コンピュータの主記憶部分に相当する。ＲＯＭ２０２は、上記のオペレーティングシステムやアプリケーションプログラムを記憶する。ＲＯＭ２０２は、ＣＰＵ２０１が各部を制御するための処理を実行する上で必要なデータを記憶する場合もある。
【００２２】
ＲＡＭ２０３は、上記コンピュータの主記憶部分に相当する。ＲＡＭ２０３は、ＣＰＵ２０１が処理を実行する上で必要なデータを記憶する。またＲＡＭ２０３は、ＣＰＵ２０１によって情報が適宜書き換えられるワークエリアとしても利用される。
【００２３】
補助記憶デバイス２０４は、上記コンピュータの補助記憶部分に相当する。補助記憶デバイス２０４は、ＣＰＵ２０１が各種の処理を行う上で使用するデータや、ＣＰＵ２０１での処理によって生成されたデータを保存する。補助記憶デバイス２０４は、上記のアプリケーションプログラムを記憶する場合もある。補助記憶デバイス２０４としては、例えばＥＥＰＲＯＭ（Electric Erasable Programmable Read-Only Memory）（登録商標）、ＨＤＤ（Hard Disc Drive）、ＳＳＤ（Solid State Drive）等が使用される。
【００２４】
時計部２０５は、事務機器２０の時刻情報源として機能する。ＣＰＵ２０１は、時計部２０５によって計時される時刻情報を基に、現在の日付及び時間を計時する。  
通信インターフェース２０６は、インターネット５に接続され、インターネット５へのデータの送信及びインターネット５を伝送されるデータの受信を行う。
【００２５】
キーボードコントローラ２０７は、キーボード２０８を制御し、キー操作により入力されたキーデータを取り込む。キーボード２０８は、文字キー、テンキー、ファンクションキー、エンターキー等が配置された周知の入力デバイスであり、マニフェスト伝票７１の作成、廃棄処理に関する情報の入力等に供せられる。
【００２６】
表示コントローラ２０９は、ディスプレイ２１０を制御し、このディスプレイ２１０の画面に種々の画像を表示させる。ディスプレイ２１０は、例えばＴＦＴ（Thin Film Transistor）液晶を用いた周知の表示デバイスであり、マニフェスト伝票７１の作成画像、廃棄処理に関する情報入力を受け付けるための処理画像等を表示する。ディスプレイ２１０は、入力デバイスであるタッチパネルを装備していてもよい。
【００２７】
プリンタコントローラ２１１は、プリンタ２１２を制御し、種々の伝票用紙に文字、バーコード、二次元データコード等を印字させる。プリンタ２１２は、例えばドットマトリクス方式のインパクトプリンタであり、複写式であるマニフェスト伝票７１の各伝票用紙に対して、１回の印字動作で二次元データコードを品質よく印字できる。  
画像インターフェース２１３は、カメラ８で撮影された画像を取り込む。
【００２８】
かかるハードウェア構成の事務機器２０としては、既存の事務コンピュータを適用することができる。  
そして追跡管理システム１では、事務機器２０のコンピュータが印刷手段、検出手段、発行手段及び送信手段として機能する。印刷手段は、マニフェスト伝票７１に二次元データコードを印刷させる。検出手段は、画像インターフェース２１３を介して取り込んだ画像から、その画像に写し出されたマニフェスト伝票７１に印刷されている二次元データコードを検出する。また検出手段は、当該マニフェスト伝票７１の表面にある伝票用紙の種類も検出する。発行手段は、検出手段により検出された二次元データコードから得られる通信アドレスのサーバ１０宛に、伝票用紙の種類に基づくリクエストを発行する。送信手段は、リクエストに対するサーバ１０からの応答に従い、廃棄処理に係る情報をサーバ１０に送信するように制御する。
【００２９】
これらの機能を実現させるために、事務機器２０は、所定の制御プログラムをＲＯＭ２０２または補助記憶デバイス２０４にて記憶する。また事務機器２０は、図３に示すデータ構造のリクエストテーブル９１を補助記憶デバイス２０４にて記憶する。
【００３０】
リクエストテーブル９１は、フィールド項目として「伝票用紙」、「色」及び「リクエスト」を備える。そしてフィールド項目「伝票用紙」には、マニフェスト伝票７１の各伝票用紙（Ａ票、Ｂ１票、Ｂ２票、Ｃ票、Ｄ１票、Ｄ２票及びＥ票）をそれぞれ識別するデータがセットされる。フィールド項目「色」には、対応するフィールド項目「伝票用紙」のデータで識別される伝票用紙の色を識別するデータがセットされる。フィールド項目「リクエスト」には、対応するフィールド項目「伝票用紙」のデータで識別される伝票用紙の種類に基づくリクエストのデータがセットされる。リクエストのデータは、文字列である。なお、フィールド項目「伝票用紙」については、省略してもよい。
【００３１】
図４は、サーバ１０のハードウェア構成を示すブロック図である。サーバ１０は、ＣＰＵ１０１、ＲＯＭ１０２、ＲＡＭ１０３、補助記憶デバイス１０４、時計部１０５、通信インターフェース１０６、キーボードコントローラ１０７、キーボード１０８、表示コントローラ１０９及びディスプレイ１１０等を備える。ＣＰＵ１０１と、ＲＯＭ１０２、ＲＡＭ１０３、補助記憶デバイス１０４、時計部１０５、通信インターフェース１０６、キーボードコントローラ１０７及び表示コントローラ１０９とは、アドレスバス、データバス、制御信号線等を含むシステム伝送路１１１によって接続される。
【００３２】
サーバ１０は、ＣＰＵ１０１、ＲＯＭ１０２、ＲＡＭ１０３及び補助記憶デバイス１０４と、これらを接続するシステム伝送路１１１とによってコンピュータを構成する。    ＣＰＵ１０１は、上記コンピュータの中枢部分に相当する。ＣＰＵ１０１は、オペレーティングシステムやアプリケーションプログラムに従って、サーバ１０としての各種の機能を実現するべく各部を制御する。
【００３３】
ＲＯＭ１０２は、上記コンピュータの主記憶部分に相当する。ＲＯＭ１０２は、上記のオペレーティングシステムやアプリケーションプログラムを記憶する。ＲＯＭ１０２は、ＣＰＵ１０１が各部を制御するための処理を実行する上で必要なデータを記憶する場合もある。
【００３４】
ＲＡＭ１０３は、上記コンピュータの主記憶部分に相当する。ＲＡＭ１０３は、ＣＰＵ１０１が処理を実行する上で必要なデータを記憶する。またＲＡＭ１０３は、ＣＰＵ１０１によって情報が適宜書き換えられるワークエリアとしても利用される。
【００３５】
補助記憶デバイス１０４は、上記コンピュータの補助記憶部分に相当する。補助記憶デバイス１０４は、ＣＰＵ１０１が各種の処理を行う上で使用するデータや、ＣＰＵ１０１での処理によって生成されたデータを保存する。補助記憶デバイス１０４は、上記のアプリケーションプログラムを記憶する場合もある。補助記憶デバイス１０４としては、ＥＥＰＲＯＭ、ＨＤＤ、ＳＳＤ等が使用される。
【００３６】
時計部１０５は、サーバ１０の時刻情報源として機能する。ＣＰＵ１０１は、時計部１０５によって計時される時刻情報を基に、現在の日付及び時間を計時する。  
通信インターフェース１０６は、インターネット５に接続され、インターネット５へのデータの送信及びインターネット５を伝送されるデータの受信を行う。
【００３７】
キーボードコントローラ１０７は、キーボード１０８を制御し、キー操作により入力されたキーデータを取り込む。キーボード１０８は、文字キー、テンキー、ファンクションキー、エンターキー等が配置された周知の入力デバイスである。
【００３８】
表示コントローラ１０９は、ディスプレイ１１０を制御し、このディスプレイ２１０の画面に種々の画像を表示させる。ディスプレイ１１０は、例えばＴＦＴ液晶を用いた周知の表示デバイスである。ディスプレイ１１０は、入力デバイスであるタッチパネルを装備していてもよい。
【００３９】
かかるハードウェア構成のサーバ１０としては、既存のサーバコンピュータまたはパーソナルコンピュータを適用することができる。
【００４０】
そして追跡管理システム１では、サーバ１０のコンピュータが応答手段及び記憶手段として機能する。応答手段は、事務機器２０からのリクエストに応答する。記憶手段は、事務機器２０から収集した廃棄処理に係る情報を記憶するように制御する。
【００４１】
これらの機能を実現させるために、サーバ１０は、所定の制御プログラムをＲＯＭ１０２または補助記憶デバイス１０４にて記憶する。またサーバ１０は、図５に示すデータ構造の処理画像テーブル９２と、図６に示すデータ構造の処理データファイル９３とを補助記憶デバイス１０４にて記憶する。
【００４２】
処理画像テーブル９２は、フィールド項目として「リクエスト」と「処理画像」とを備える。そしてフィールド項目「リクエスト」には、リクエストテーブル９１のフィールド項目「リクエスト」にセットされたリクエストのデータがセットされる。フィールド項目「処理画像」には、対応するフィールド項目「リクエスト」のリクエストに応答して事務機器２０のディスプレイ２１０に表示させる処理画像のデータがセットされる。
【００４３】
処理画像は、廃棄処理に係る情報を入力する際のインターフェースとなる画像である。インターフェースとなる画像とは、オペレータがその画像にしたがって情報を入力することで、各内容の登録に必要な情報を取り込むことができる画像のことである。このため追跡管理システム１では、伝票用紙Ａ票の色に対応したリクエストに対して委託画像のデータがセットされ、伝票用紙Ｃ票の色に対応したリクエストに対して中間処理画像のデータがセットされ、伝票用紙Ｅ票の色に対応したリクエストに対して最終処分画像のデータがセットされる。他の伝票用紙Ｂ１，Ｂ２，Ｄ１，Ｄ２の色に対応したリクエストに対しては、処理画像のデータはセットされていない。
【００４４】
因みに委託画像は、廃棄物の委託内容を登録する際のインターフェースとなる画像である。中間処理画像は、廃棄物の中間処理内容を登録する際のインターフェースとなる画像である。最終処分画像は、廃棄物の最終処分内容を登録する際のインターフェースとなる画像である。
【００４５】
処理データファイル９３は、事務機器２０から収集した廃棄処理に係る情報を記憶するための領域である。処理データファイル９３は、伝票番号に関連付けて、委託データ、中間処理データ及び最終処分データの各記憶領域を有する。伝票番号は、マニフェスト伝票７１毎に発番される固有の番号である。委託データは、委託業者２によって廃棄処理が委託された廃棄物に関する情報を含む。中間処理データは、中間処理業者３によって行われた廃棄物に対する中間処理の内容を示す情報を含む。最終処分データは、最終処分業者４によって行われた廃棄物に対する最終処分の内容を示す情報を含む。ここに委託データ、中間処理データ及び最終処分データは、廃棄処理に係る情報として括られる。
【００４６】
図７及び図８は、事務機器２０のＣＰＵ２０１が制御プログラムにしたがって実行する情報処理の要部手順を示す流れ図である。また図９は、サーバ１０のＣＰＵ１０１が制御プログラムにしたがって実行する情報処理の要部手順を示す流れ図である。なお、図７乃至図９に示すとともに以下に説明する処理の内容は一例であって、同様な結果を得ることが可能な様々な処理を適宜に利用できる。  
以下、これらの図面を参照して、追跡管理システム１の動作を説明する。始めに、委託業者２に係る追跡管理システム１の動作を説明する。  
委託業者２は、廃棄物の廃棄を委託するために、事務機器２０を操作して、マニフェスト伝票７１を作成する。すなわち委託業者２は、事務機器２０の業務メニューから伝票発行業務を選択する。伝票発行業務が選択されると、事務機器２０のＣＰＵ２０１は、図７の流れ図に示す手順の情報処理を開始する。
【００４７】
先ずＣＰＵ２０１は、Act１として、ディスプレイ２１０に伝票作成画像を表示させる。伝票作成画像は、マニフェスト伝票７１の作成に必要な種々のデータ項目の入力欄を含む。伝票作成画像の画像データは、制御プログラムとともに補助記憶デバイス２０４に記憶されている。あるいはＣＰＵ２０１がサーバ１０にリクエストを発行し、サーバ１０から伝票作成画像の画像データを受信して、ディスプレイ２１０に表示させてもよい。
【００４８】
伝票作成画像を確認した委託業者２は、キーボード２０８を操作して、マニフェスト伝票７１の作成に必要な情報を入力する。そしてその情報入力を終えると、委託業者２は、例えばエンターキーを操作して、入力終了を指令する。
【００４９】
伝票作成画像を表示させたＣＰＵ２０１は、Act２として、入力終了が指令されるのを待機する。キーボードコントローラ２０７へのキー信号により入力終了が指令されたことを検知すると（Act２にてＹＥＳ）、ＣＰＵ２０１は、Act３として、マニフェスト伝票７１への印字データを編集する。このときＣＰＵ２０１は、Act４として、印字データに二次元データコードを追加する。二次元データコードは、インターネット５上に存在する情報資源の所在地を表す通信アドレスを含む。追跡管理システム１では、情報資源の所在地はサーバ１０である。すなわち二次元データコードは、サーバ１０宛の通信アドレスを含む。
【００５０】
マニフェスト伝票７１への印字データに二次元データコードを追加し終えると、ＣＰＵ２０１は、Act５としてその印字データを基にマニフェスト伝票７１の画像をディスプレイ２１０に表示させる。  
マニフェスト伝票７１の画像を確認した委託業者２は、例えばプリントキーを操作して、マニフェスト伝票７１の印刷を指令する。
【００５１】
伝票画像を表示させたＣＰＵ２０１は、Act６として印刷が指令されるのを待機する。キーボードコントローラ２０７へのキー信号により印刷が指令されたことを検知すると（Act６にてＹＥＳ）、ＣＰＵ２０１は、Act７としてプリンタ２１２を動作させて、マニフェスト伝票７１に印字データと二次元データコードとを印刷する。ここに事務機器２０は、ＣＰＵ２０１が実行するAct７の処理により、印刷手段を構成する。
【００５２】
以上で、ＣＰＵ２０１は、伝票発行業務の処理を終了する。かくして、サーバ１０宛の通信アドレスを含む二次元データコードが、Ａ票、Ｂ１票、Ｂ２票、Ｃ票、Ｄ１票、Ｄ２票及びＥ票の各伝票用紙にそれぞれ印刷された７枚綴りのマニフェスト伝票７１が発行される。
【００５３】
マニフェスト伝票７１を発行した委託業者２は、事務機器２０を操作して、サーバ１０に廃棄物の委託に関する情報を登録する。すなわち委託業者２は、事務機器２０の業務メニューから登録業務を選択する。登録業務が選択されると、事務機器２０のＣＰＵ２０１は、図８の流れ図に示す手順の情報処理を開始する。
【００５４】
先ずＣＰＵ２０１は、Act１１として、画像インターフェース２１３を介して画像データが入力されるのを待機する。このとき事務機器２０では、オペレータ（この場合は委託業者２）にマニフェスト伝票７１の撮影を指示するメッセージがディスプレイ２１０に表示される。
【００５５】
登録業務を選択した委託業者２は、マニフェスト伝票７１の表面にある伝票用紙、すなわちＡ票をカメラ８で撮影する。すると、カメラ８で撮影されたＡ票を含む画像データが画像インターフェース２１３に取り込まれるので、ＣＰＵ２０１は、画像入力有りと判定する（Act１１にてＹＥＳ）。そしてＣＰＵ２０１は、Act１２として、その画像データがマニフェスト伝票７１の画像を含むか否かを判定する。補助記憶デバイス２０４には、マニフェスト伝票７１の画像パターンデータが予め記憶されている。ＣＰＵ２０１は、この画像パターンデータと画像データとを照合して、画像データにマニフェスト伝票７１の画像が含まれるか否かを判定する。なお、判定方式は上述したパターン照合方式に限定されるものではない。画像データにマニフェスト伝票７１の画像データが含まれるか否かを判定できれば判定方式は問わない。
【００５６】
画像データにマニフェスト伝票７１の画像が含まれると判定されると（Act１２にてＹＥＳ）、ＣＰＵ２０１は、Act１３としてマニフェスト伝票７１の画像に含まれる二次元データコードを解析する。前述したように、マニフェスト伝票７１には、二次元データコードが印刷されている。ＣＰＵ２０１は、マニフェスト伝票７１の画像データから二次元データコードの画像を切出し、この画像に含まれる二次元の図形パターンを認識する。そしてＣＰＵ２０１は、この図形パターンを解析して、二次元データコードで表わされた情報を取得する。この情報には、サーバ１０宛の通信アドレスが含まれる。このような二次元データコードの解析技術は周知であるので、詳細な説明は省略する。
【００５７】
ＣＰＵ２０１は、Act１４として、カメラ８で撮影された伝票用紙（この場合Ａ票）の色を判定する。前述したようにマニフェスト伝票７１を構成する各伝票用紙は、用紙毎に紙の色が異なる。ＣＰＵ２０１は、画像データからマニフェスト伝票７１の画像を切出し、その画像の画素毎に色情報を検出する。そして最も多い色情報を伝票用紙の色とする。このような色の判定技術は周知であるので、詳細な説明は省略する。
【００５８】
なお、Act１３とAct１４との処理手順は、上記の順序に限定されるものではない。ＣＰＵ２０１が先にAct１４の処理を実行し、後からAct１３の処理を実行してもよい。
【００５９】
伝票用紙の色が判定されると、ＣＰＵ２０１は、Act１５として、リクエストテーブル９１を参照して、その色を特定するデータに対応してフィールド項目「リクエスト」にセットされたリクエストデータを取得する。そしてＣＰＵ２０１は、Act１６として、二次元データコードを解析して得られたサーバ１０宛の通信アドレスに、伝票用紙の色から得られたリクエストデータを付加して、サーバ１０へのリクエストとなるＵＲＬ（Uniform Resource Locator）データを作成する。そしてＣＰＵ２０１は、Act１７とてこのリクエストを発行するように通信インターフェース２０６を制御する。この制御により、事務機器２０では、通信インターフェース２０６からインターネット５を介してサーバ１０宛にリクエストであるＵＲＬデータが送信される。
【００６０】
したがって、委託業者２がマニフェスト伝票７１のＡ票をカメラ８で撮影した場合、このＡ票の色［ＣＡ１］に対応してリクエストテーブル９１に設定されているリクエストデータ［ＸＸＸＸＸ１］を含むＵＲＬデータが、事務機器２０からインターネット５上に送信される。そしてこのＵＲＬデータは、インターネット５を介してサーバ１０で受信される。
【００６１】
ここに事務機器２０は、ＣＰＵ２０１が実行するAct１４，１５の処理により検出手段を構成する。また事務機器２０は、ＣＰＵ２０１が実行するAct１６，１７の処理により発行手段を構成する。
【００６２】
サーバ１０のＣＰＵ１０１は、事務機器２０からデータを受信する毎に、図９の流れ図に示す手順の情報処理を実行する。すなわちＣＰＵ１０１は、Act３１として、事務機器２０からのデータを待機している。そしてデータを受信すると（Act３１にてＹＥＳ）、ＣＰＵ１０１は、Act３２としてその受信データがＵＲＬデータであるか否かを確認する。
【００６３】
受信データがＵＲＬデータである場合（Act３２にてＹＥＳ）、ＣＰＵ１０１は、Act３３として、そのＵＲＬデータに含まれるリクエストデータを検出する。リクエストデータが検出されると、ＣＰＵ１０１は、Act３４として、処理画像テーブル９２を参照して、そのリクエストデータに対応してフィールド項目「処理画像」にセットされた処理画像データを呼び出す。そしてＣＰＵ１０１は、Act３５として、リクエストに対する応答として処理画像データを送信するように、通信インターフェース１０６を制御する。この制御により、サーバ１０では、通信インターフェース１０６からインターネット５を介してＵＲＬデータ送信元の事務機器２０宛に処理画像データが送信される。  
ここに、サーバ１０は、ＣＰＵ１０１が実行するAct３３乃至３５の処理により応答手段を構成する。
【００６４】
図８に説明を戻す。  
ＵＲＬデータを送信した事務機器２０のＣＰＵ２０１は、Act１８としてサーバ１０からの応答を待機する。そして、リクエストに対する応答として処理画像データを受信すると（Act１８にてＹＥＳ）、ＣＰＵ２０１は、そのデータに基づく処理画像をディスプレイ２１０に表示させる。
【００６５】
したがって、マニフェスト伝票７１のＡ票を撮影した委託業者２の事務機器２０には、委託画像が表示される。そこで委託業者２は、委託画像にしたがってキーボード２０８を操作して、廃棄物の委託に関する情報を入力する。この情報には、マニフェスト伝票７１の伝票番号、委託業者情報、廃棄物の種類、重量、委託日時等が含まれる。廃棄物の画像データが含まれてもよい。情報の入力を終えると、委託業者２は、例えばエンターキーを操作して、入力終了を指令する。
【００６６】
委託画像を表示させたＣＰＵ２０１は、Act２０として、情報の入力終了が指令されるのを待機する。キーボードコントローラ２０７へのキー信号により入力終了が指令されたことを検知すると（Act２０にてＹＥＳ）、ＣＰＵ２０１は、Act２１として、委託画像から入力を受け付けた情報で委託処理データを編集する。そしてＣＰＵ２０１は、Act２２として、この委託処理データをサーバ１０宛に送信するように通信インターフェース２０６を制御する。この制御により、事務機器２０では、通信インターフェース２０６からインターネット５を介してサーバ１０宛に委託処理データが送信される。  
ここに、事務機器２０は、ＣＰＵ２０１が実行するAct２１，２２の処理により送信手段を構成する。
【００６７】
前述したように、サーバ１０のＣＰＵ１０１は、Act３１として、事務機器２０からのデータを待機している。そしてデータを受信すると（Act３１にてＹＥＳ）、ＣＰＵ１０１は、Act３２としてそのデータがＵＲＬデータであるか否かを確認する。この場合、受信データはＵＲＬデータではない。受信データがＵＲＬデータでない場合（Act３２にてＮＯ）、ＣＰＵ１０１は、Act３６として、受信データが処理データであるか否かを確認する（Act３３）。
【００６８】
受信データが処理データである場合（Act３６にてＹＥＳ）、ＣＰＵ１０１は、Act３７として、その処理データから伝票番号を検出する。そしてＣＰＵ１０１は、Act３８として、処理データファイル９３にその伝票番号が既に登録されているか否かを確認する。
【００６９】
処理データが委託処理データの場合、伝票番号は未登録である。この場合（Act３８にてＮＯ）、ＣＰＵ１０１は、Act３９としてその伝票番号と委託処理データとを関連付けて、処理データファイル９３に保存する。
【００７０】
廃棄物の委託に関する情報を登録し終えた委託業者２は、廃棄物とともにマニフェスト伝票７１を運搬業者６１に引き渡す。このとき委託業者２は、Ａ票を受け取り、控えとして保管する。
【００７１】
運搬業者６１は、委託業者２から委託された廃棄物を中間処理業者３まで運搬する。そして運搬業者６１は、廃棄物を中間処理業者３に引き渡す際にマニフェスト伝票７１も渡す。このとき運搬業者６１は、Ｂ１票とＢ２票を受け取り、Ｂ１票を保管し、Ｂ２票を委託業者２に返送する。
【００７２】
次に、中間処理業者３に係る追跡管理システム１の動作を説明する。  
中間処理業者３は、委託業者２から委託された廃棄物について焼却、破砕、脱水、中和等の中間処理を行う。そして中間処理を終えると、中間処理業者３は、事務機器２０を操作して、サーバ１０に廃棄物の中間処理に関する情報を登録する。すなわち中間処理業者３は、事務機器２０の業務メニューから登録業務を選択する。登録業務を選択すると、事務機器２０では、ＣＰＵ２０１が図８の流れ図に示す手順の情報処理を行う。この情報処理については前述しているので、ここでの説明は省略する。
【００７３】
したがって中間処理業者３は、マニフェスト伝票７１の表面にある伝票用紙、すなわちＣ票をカメラ８で撮影する。すると、このＣ票に印刷されている二次元データコードを解析して得られるサーバ１０宛の通信アドレスに、Ｃ票の色［ＣＡ４］を特定するデータに対応してフィールド項目「リクエスト」にセットされたリクエストデータ［ＸＸＸＸＸ４］を付加したＵＲＬデータが作成される。そして、このＵＲＬデータがインターネット５を介してサーバ１０に送信される。
【００７４】
サーバ１０のＣＰＵ１０１は、事務機器２０からデータを受信する毎に、図９の流れ図に示す手順の情報処理を実行する。この情報処理についても前述しているので、ここでの説明は省略する。
【００７５】
したがって、マニフェスト伝票７１のＣ票を撮影した中間処理業者３の事務機器２０には、中間処理画像が表示される。そこで中間処理業者３は、中間処理画像にしたがってキーボード２０８を操作して、廃棄物の中間処理に関する情報を入力する。この情報には、マニフェスト伝票７１の伝票番号、中間処理業者情報、中間処理の開始と終了の日時等が含まれる。また、中間処理が行われた後の廃棄物の画像が含まれてもよい。情報の入力を終えると、中間処理業者３は、例えばエンターキーを操作して、入力終了を指令する。
【００７６】
入力終了が指令されると、事務機器２０では、中間処理画像から入力を受け付けた情報で中間処理データが編集される。そしてこの中間処理データがインターネット５を介してサーバ１０宛に送信される。
【００７７】
前述したように、サーバ１０のＣＰＵ１０１は、事務機器２０から受信したデータが処理データである場合（Act３６にてＹＥＳ）、ＣＰＵ１０１は、Act３７として、その処理データから伝票番号を検出する。そしてＣＰＵ１０１は、Act３８として、処理データファイル９３にその伝票番号が既に登録されているか否かを確認する。
【００７８】
処理データが中間処理データの場合、伝票番号は登録済である。この場合（Act３８にてＹＥＳ）、ＣＰＵ１０１は、Act４０としてその伝票番号に関連付けて処理データファイル９３に登録されているデータを更新する。具体的にはＣＰＵ１０１は、その伝票番号に関連付けて処理データファイル９３に登録されているデータに中間処理データを追加する。  
ここに、サーバ１０は、ＣＰＵ１０１が実行するAct３７乃至４０の処理により記憶手段を構成する。
【００７９】
廃棄物の中間処理に関する情報の登録を終えた中間処理業者は、中間処理を終えた廃棄物とともにマニフェスト伝票７１を運搬業者６２に引き渡す。このとき中間処理業者３は、Ｄ票を受け取り、控えとして保管する。
【００８０】
運搬業者６２は、中間処理業者によって中間処理された廃棄物を最終処分業者４まで運搬する。そして運搬業者６２は、廃棄物を最終処分業者４に引き渡す際にマニフェスト伝票７１も渡す。このとき運搬業者６２は、Ｄ１票とＤ２票を受け取り、Ｄ１票を保管し、Ｄ２票を中間処理業者３に返送する。
【００８１】
次に、最終処分業者４に係る追跡管理システム１の動作を説明する。  
最終処分業者４は、中間処理された廃棄物について埋立、海洋投棄等の最終処分を行う。そして最終処分を終えると、最終処分業者４は、事務機器２０を操作して、サーバ１０に廃棄物の最終処分に関する情報を登録する。すなわち最終処分業者４は、事務機器２０の業務メニューから登録業務を選択する。登録業務が選択されると、事務機器２０では、ＣＰＵ２０１が図７の流れ図に示す手順の情報処理を行う。この情報処理については前述しているので、ここでの説明は省略する。
【００８２】
したがって最終処分業者４は、マニフェスト伝票７１の表面にある伝票用紙、すなわちＥ票をカメラ８で撮影する。すると、このＥ票に印刷されている二次元データコードを解析して得られるサーバ１０宛の通信アドレスに、Ｅ票の色［ＣＡ７］を特定するデータに対応してフィールド項目「リクエスト」にセットされたリクエストデータ［ＸＸＸＸＸ７］を付加したＵＲＬデータが作成される。そして、このＵＲＬデータがインターネット５を介してサーバ１０に送信される。
【００８３】
サーバ１０のＣＰＵ１０１は、事務機器２０からデータを受信する毎に、図９の流れ図に示す手順の情報処理を実行する。この情報処理についても前述しているので、ここでの説明は省略する。
【００８４】
したがって、最終処分業者４の事務機器２０には、最終処分画像が表示される。そこで最終処分業者４は、最終処分画像にしたがってキーボード２０８を操作して、廃棄物の最終処分に関する情報を入力する。この情報には、マニフェスト伝票７１の伝票番号、最終処分業者情報、最終処分の開始と終了の日時等が含まれる。また、最終処分が行われた後の廃棄物の画像が含まれてもよい。情報の入力を終えると、最終処分業者４は、例えばエンターキーを操作して、入力終了を指令する。
【００８５】
入力終了が指令されると、事務機器２０では、最終処分画像から入力を受け付けた情報で最終処分データが編集される。そしてこの最終処分データがインターネット５を介してサーバ１０宛に送信される。
【００８６】
前述したように、サーバ１０のＣＰＵ１０１は、事務機器２０から受信したデータが処理データである場合（Act３６にてＹＥＳ）、ＣＰＵ１０１は、Act３７として、その処理データから伝票番号を検出する。そしてＣＰＵ１０１は、Act３８として、処理データファイル９３にその伝票番号が既に登録されているか否かを確認する。
【００８７】
処理データが最終処分データの場合、伝票番号は登録済である。この場合（Act３８にてＹＥＳ）、ＣＰＵ１０１は、Act４０としてその伝票番号に関連付けて処理データファイル９３に登録されているデータを更新する。具体的にはＣＰＵ１０１は、その伝票番号に関連付けて処理データファイル９３に登録されているデータに最終処分データを追加する。  
最終処分データの登録を終えた最終処分業者４は、マニフェスト伝票７１のＥ票を保管する。
【００８８】
このように、追跡管理システム１においては、委託業者２がマニフェスト伝票７１をカメラ８で撮影することにより、委託業者２が使用する事務機器２０のディスプレイ２１０に委託画像が表示される。そしてこの委託画像にしたがって委託業者２が廃棄物の委託に関する情報を入力することによって、サーバ１０宛に委託処理データが送信される。そしてサーバ１０の作用により、マニフェスト伝票７１の伝票番号と関連付けされて委託処理データが処理データファイル９３に保存される。
【００８９】
同様に、中間処理業者３がマニフェスト伝票７１をカメラ８で撮影することにより、中間処理業者３が使用する事務機器２０のディスプレイ２１０に中間処理画像が表示される。そしてこの中間処理画像にしたがって中間処理業者３が廃棄物の中間処理に関する情報を入力することによって、サーバ１０宛に中間処理データが送信される。そしてサーバ１０の作用により、マニフェスト伝票７１の伝票番号と関連付けされて中間処理データが処理データファイル９３に保存される。
【００９０】
また、最終処分業者４がマニフェスト伝票７１をカメラ８で撮影することにより、最終処分業者４が使用する事務機器２０のディスプレイ２１０に最終処分画像が表示される。そしてこの最終処分画像にしたがって最終処分業者４が廃棄物の最終処分に関する情報を入力することによって、サーバ１０宛に最終処分データが送信される。そしてサーバ１０の作用により、マニフェスト伝票７１の伝票番号と関連付けされて最終処分データが処理データファイル９３に保存される。
【００９１】
このように、追跡管理システム１によれば、委託業者２、中間処理業者３及び最終処分業者４がそれぞれ同一伝票番号のマニフェスト伝票７１をカメラ８で撮影することにより、各業者２，３，４の事務機器２０に廃棄処理に係る情報を入力する際のインターフェースとなる画像（委託画像、中間処理画像または最終処分画像）が表示される。そして委託業者２、中間処理業者３または最終処分業者４がそれぞれ画像にしたがって必要な情報を入力することにより、マニフェスト伝票７１によって管理される廃棄物の委託に関する情報、中間処理に関する情報及び最終処分に関する情報が、処理データファイル９３に登録される。
【００９２】
かくして、委託業者２、中間処理業者３及び最終処分業者４にとって単純な操作入力により、処理データファイル９３に、委託業者２によって廃棄処理が委託された廃棄物に関して、中間処理業者３及び最終処分業者４によってそれぞれ行われた廃棄処理作業のエビデンスが残る。したがって委託業者２は、例えば事務機器２０を利用してサーバ１０にアクセスし、伝票番号を検索のためのキーとして処理データファイル９３に登録されたデータを呼び出す。そうすることにより、中間処理業者３及び最終処分業者４が廃棄物に対してどのような処理を行ったかを容易に追跡できるようになる。
【００９３】
なお、処理データファイル９３に登録されたデータを呼び出す端末は事務機器２０に限らず、パーソナルコンピュータ、スマートフォン、タブレット端末等のインターネット対応機器を使用することも可能である。
【００９４】
また、追跡管理システム１によれば、事務機器２０は、複写伝票であるマニフェスト伝票７１に、サーバ１０宛の通信アドレスを含む二次元データコードを印刷させることができる。したがって、委託業者２、中間処理業者３及び最終処分業者４の事務室などに置かれる共通の事務機器２０で、廃棄処理に係るデータの登録機能だけでなく、二次元データコードの印刷機能も実現できるので、システムの低コスト化を図ることができる。
【００９５】
以下、実施形態の変形例について説明する。  
前記実施形態では、マニフェスト伝票７１を構成する全ての伝票用紙の色を変えるものとした。前記実施形態の場合、少なくともリクエストデータに関連付けて処理画像データが設定される伝票用紙Ａ票、Ｃ票及びＥ票の色が異なっていればよい。仮に、別の実施形態として、運搬業者６１，６２も、自らが保管する伝票用紙Ｂ１票、Ｄ１票の情報を基に運搬処理に係るデータを登録するようにした場合には、伝票用紙Ｂ１票、Ｄ１票についても色を変える必要があるのは言うまでもないことである。
【００９６】
また前記実施形態では、事務機器２０が有する検出手段として、マニフェスト伝票７１の表面にある伝票用紙の色を認識し、その色情報から伝票用紙の種類を検出する場合を例示した。他の実施形態としては、事務機器２０がＯＣＲ機能を搭載し、伝票用紙に記述されている文字列を認識することで、伝票用紙の種類を検出することも可能である。この場合、図３のリクエストテーブルにおいては、フィールド項目「色」について省略可能となる。
【００９７】
なお、事務機器２０の譲渡は一般に、制御プログラムがＲＯＭ２０２又は補助記憶デバイス２０４に記憶された状態にて行われる。しかしこれに限らず、事務機器２０が備える書き込み可能な記憶デバイスに、この事務機器２０とは個別に譲渡された制御プログラムがユーザなどの操作に応じて書き込まれてもよい。制御プログラムの譲渡は、リムーバブルな記録媒体に記録して、あるいはネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００９８】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。  
［１］廃棄物の廃棄処理に係る業者毎に備えられる複数の事務機器と、ネットワークを介して前記複数の事務機器を接続するサーバと、を含み、前記事務機器は、前記廃棄物とともに前記業者間を移送される複写伝票を撮影した画像を取り込む画像インターフェースと、前記画像から、その画像に写し出された前記複写伝票に印刷されているコードとともに当該複写伝票の表面にある伝票用紙の種類を検出する検出手段と、前記検出手段により検出された前記コードから得られる通信アドレスの前記サーバ宛に、前記伝票用紙の種類に基づくリクエストを発行する発行手段と、前記リクエストに対する前記サーバからの応答に従い、前記廃棄処理に係る情報を前記サーバに送信する送信手段と、を具備し、前記サーバは、前記事務機器からのリクエストに応答する応答手段と、前記事務機器から収集した前記廃棄処理に係る情報を記憶する記憶手段と、を具備する追跡管理システム。  
［２］前記事務機器は、前記複写伝票に前記コードを印刷させる印刷手段、をさらに具備する［１］記載の追跡管理システム。  
［３］廃棄物の廃棄処理に係る業者毎に備えられ、ネットワークを介して接続されたサーバと追跡管理システムを構築する事務機器であって、前記廃棄物とともに前記業者間を移送される複写伝票を撮影した画像を取り込む画像インターフェースと、前記画像から、その画像に写し出された前記複写伝票に印刷されているコードとともに当該複写伝票の表面にある伝票用紙の種類を検出する検出手段と、前記検出手段により検出された前記コードから得られる通信アドレスの前記サーバ宛に前記伝票用紙の種類に基づくリクエストを発行する発行手段と、前記リクエストに対する前記サーバからの応答に従い、前記廃棄処理に係る情報を前記サーバに送信する送信手段と、を具備する事務機器。  
［４］前記複写伝票に前記コードを印刷する印刷手段、をさらに具備する［３］記載の事務機器。  
［５］前記検出手段は、前記画像に写し出された前記複写伝票の表面にある伝票用紙の色を認識し、その色情報から前記種類を検出する［３］又は［４］記載の事務機器。  
［６］廃棄物の廃棄処理に係る業者毎に備えられ、ネットワークを介して接続されたサーバと追跡管理システムを構築する事務機器のコンピュータに、前記廃棄物とともに前記業者間を移送される複写伝票を撮影した画像を取り込む機能と、前記画像から、その画像に写し出された前記複写伝票に印刷されているコードとともに当該複写伝票の表面にある伝票用紙の種類を検出する機能と、前記検出された前記コードから得られる通信アドレスのサーバ宛に前記伝票用紙の種類に基づくリクエストを発行する機能と、前記リクエストに対する前記サーバからの応答に従い、前記廃棄処理に係る情報を前記サーバに送信させる機能と、を実現させるための制御プログラム。
【符号の説明】
【００９９】
１…追跡管理システム、２…委託業者、３…中間処理業者、４…最終処分業者、５…インターネット、８…カメラ、１０…サーバ、２０…事務機器、６１，６２…運搬業者、７１…マニフェスト伝票、９１…リクエストテーブル、９２…処理画像テーブル、９３…処理データファイル。
【図１】
2020205082.tif 000003
【図２】
2020205082.tif 000004
【図３】
2020205082.tif 000005
【図４】
2020205082.tif 000006
【図５】
2020205082.tif 000007
【図６】
2020205082.tif 000008
【図７】
2020205082.tif 000009
【図８】
2020205082.tif 000010
【図９】
2020205082.tif 000011
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
廃棄物の廃棄処理に係る業者毎に備えられた複数の事務機器を、ネットワークを介して接続してなるサーバであって、
前記複数の事務機器から、前記廃棄物とともに前記業者間を移送される、複数の伝票用紙を束ねた複写伝票の表面にある伝票用紙の種類に対応したリクエストを含むＵＲＬデータを受信する第１受信手段と、
前記複数の伝票用紙の種類にそれぞれ対応した複数のリクエストと関連付けて複数の処理画像データを記憶する第１記憶手段と、
前記第１受信手段により受信した前記ＵＲＬデータに含まれる前記リクエストに対応して前記第１記憶手段により記憶されている前記処理画像データを取得し、当該処理画像データを前記ＵＲＬデータ送信元の事務機器に送信する送信手段と、
前記複数の事務機器から、前記処理画像データに基づく処理画像を介して入力された廃棄処理に係る情報を受信する第２受信手段と、
前記第２受信手段により前記複数の事務機器から受信した前記廃棄処理に係る情報を記憶する第２記憶手段と、
を具備するサーバ。
【請求項２】
前記廃棄処理に係る情報から前記複写伝票の伝票番号を検出する検出手段、
をさらに具備し、
前記第２記憶手段は、前記複数の事務機器から受信した前記廃棄処理に係る情報を、当該情報から検出した前記伝票番号と関連付けて記憶する、請求項１記載のサーバ。
【請求項３】
前記第２記憶手段は、１つの事務機器から受信した前記廃棄処理に係る情報から検出した前記伝票番号を記憶していない場合、当該伝票番号と関連付けて前記１つの事務機器から受信した前記廃棄処理に係る情報を記憶し、別の事務機器から受信した前記廃棄処理に係る情報から検出した前記伝票番号を記憶している場合には、当該伝票番号と関連付けて記憶されている前記１つの事務機器から受信した前記廃棄処理に係る情報に、前記別の事務機器から受信した前記廃棄処理に係る情報を追加する、請求項２記載のサーバ。
【請求項４】
廃棄物の廃棄処理に係る業者毎に備えられた複数の事務機器を、ネットワークを介して接続してなるサーバに、
前記複数の事務機器から、前記廃棄物とともに前記業者間を移送される、複数の伝票用紙を束ねた複写伝票の表面にある伝票用紙の種類に対応したリクエストを含むＵＲＬデータを受信する第１受信機能、
前記複数の伝票用紙の種類にそれぞれ対応した複数のリクエストと関連付けて複数の処理画像データを記憶する記憶部から、前記第１受信機能により受信した前記ＵＲＬデータに含まれる前記リクエストに対応して記憶されている前記処理画像データを取得し、当該処理画像データを前記ＵＲＬデータ送信元の事務機器に送信する機能、
前記複数の事務機器から、前記処理画像データに基づく処理画像を介して入力された廃棄処理に係る情報を受信する第２受信機能、及び、
前記第２受信機能により前記複数の事務機器から受信した前記廃棄処理に係る情報を記憶する機能、
を実現させるための制御プログラム。
【手続補正３】
【補正対象書類名】明細書
【補正対象項目名】０００１
【補正方法】変更
【補正の内容】
【０００１】
本発明の実施形態は、追跡管理システムで用いられるサーバ並びにその制御プログラムに関する。
【手続補正４】
【補正対象書類名】明細書
【補正対象項目名】０００６
【補正方法】変更
【補正の内容】
【０００６】
一実施形態において、サーバは、廃棄物の廃棄処理に係る業者毎に備えられた複数の事務機器を、ネットワークを介して接続してなる。
このサーバは、第１受信手段と、第１記憶手段と、送信手段と、第２受信手段と、第２記憶手段とを備える。第１受信手段は、複数の事務機器から、廃棄物とともに業者間を移送される、複数の伝票用紙を束ねた複写伝票の表面にある伝票用紙の種類に対応したリクエストを含むＵＲＬデータを受信する。第１記憶手段は、複数の伝票用紙の種類にそれぞれ対応した複数のリクエストと関連付けて複数の処理画像データを記憶する。送信手段は、第１受信手段により受信したＵＲＬデータに含まれるリクエストに対応して第１記憶手段により記憶されている処理画像データを取得し、当該処理画像データをＵＲＬデータ送信元の事務機器に送信する。第２受信手段は、複数の事務機器から、処理画像データに基づく処理画像を介して入力された廃棄処理に係る情報を受信する。第２記憶手段は、第２受信手段により複数の事務機器から受信した廃棄処理に係る情報を記憶する。